(57)【要約】【課題】簡易な構成で複数種類の画像を切り替えて表示可能であると共に、新たな趣きと質感とを演出可能な写真立て及び該写真立てをアルバムの表紙として用いてなるアルバムの提供を課題とする。【解決手段】凹嵌部１５を備える本体フレーム１０と、写真画像等の画像Ｇを備えると共に凹嵌部１５に着脱自在に嵌合して画像Ｇを表示するサブフレーム２０とを備え、凹嵌部１５の底面に、サブフレーム２０に備える画像Ｇ２と異なる画像Ｇ１を設けてある写真立て１である。【選択図】      図１
0003201983.tif 000002
【実用新案登録請求の範囲】
【請求項１】
凹嵌部を備える本体フレームと、写真画像等の画像を備えると共に前記凹嵌部に着脱自在に嵌合して画像を表示するサブフレームとを備え、前記凹嵌部の底面に、サブフレームに備える画像と異なる画像を設けてあることを特徴とする写真立て。
【請求項２】
サブフレームは、画像の周縁を囲む枠体を備えると共に、本体フレームの凹嵌部にサブフレームを嵌合させた際に、前記枠体の表面と、前記本体フレームの表面との間に凸状若しくは凹状の段差を設ける構成としてあることを特徴とする請求項１に記載の写真立て。
【請求項３】
枠体は、本体フレームに備える模様と連続する連続模様を備えることを特徴とする請求項２に記載の写真立て。
【請求項４】
本体フレームに備える画像の表面に、アクリル板を被覆させてあることを特徴とする請求項１〜請求項３の何れか１項に記載の写真立て。
【請求項５】
請求項１〜請求項４の何れか１項に記載の写真立てをアルバムの表紙として用いてなることを特徴とするアルバム。
【考案の詳細な説明】
【技術分野】
【０００１】
本考案は、新たな趣きと質感とを演出可能な写真立て及びアルバムに関する。
【背景技術】
【０００２】
従来、台紙に設けた凹部（窓部）に写真等の画像を備えてなる写真立てが広く用いられている。また写真を備える複数枚の台紙を綴じた状態で、表表紙と裏表紙とを設けてなるアルバムが広く用いられている。
このような写真立てとアルバムとを示す従来技術として、下記特許文献１、２がある。
【先行技術文献】
【特許文献】
【０００３】
【特許文献１】特許第４４４６９８８号公報
【特許文献２】特開２００３−４８３８１号公報
【考案の概要】
【考案が解決しようとする課題】
【０００４】
上記特許文献１は、写真立てに関する発明で、花瓶などの載置スペースを備えると共に、安定した据え置きを確保することができるメリットがある。
また上記特許文献２は、写真用アルバムに関する発明で、台紙への貼付を予定する特定の写真群の特徴を示すオリジナル写真を写真用アルバムの表紙に採り入れることで、ユーザーの個性を生かしたオリジナルアルバムを制作できるメリットがある。
しかし上記特許文献１に示すような従来の写真立てにおいては、一つの写真立てに一つの写真（画像）を備えるものが一般的であった。よって複数種類の写真（画像）を表示するには写真（画像）の差し替えが必要となり、作業が煩雑になるという問題があった。
また上記特許文献２に示すような従来のアルバムにおいては、表紙が平面で構成されることから、オリジナル性や面白みに欠けるという問題があった。
【０００５】
そこで本考案は上記従来技術の問題を解消し、簡易な構成で複数種類の画像を切り替えて表示可能であると共に、新たな趣きと質感とを演出可能な写真立て及び該写真立てをアルバムの表紙として用いてなるアルバムの提供を課題とする。
【課題を解決するための手段】
【０００６】
本考案の写真立ては、凹嵌部を備える本体フレームと、写真画像等の画像を備えると共に前記凹嵌部に着脱自在に嵌合して画像を表示するサブフレームとを備え、前記凹嵌部の底面に、サブフレームに備える画像と異なる画像を設けてあることを第１の特徴としている。
【０００７】
また本考案の写真立ては、上記第１の特徴に加えて、サブフレームは、画像の周縁を囲む枠体を備えると共に、本体フレームの凹嵌部にサブフレームを嵌合させた際に、前記枠体の表面と、前記本体フレームの表面との間に凸状若しくは凹状の段差を設ける構成としてあることを第２の特徴としている。
【０００８】
また本考案の写真立ては、上記第１又は第２の特徴に加えて、枠体は、本体フレームに備える模様と連続する連続模様を備えることを第３の特徴としている。
【０００９】
また本考案の写真立ては、上記第１〜第３の何れか１つの特徴に加えて、本体フレームに備える画像の表面に、アクリル板を被覆させてあることを第４の特徴としている。
また本考案のアルバムは、請求項１〜請求項４の何れか１項に記載の写真立てをアルバムの表紙として用いてなることを第５の特徴としている。
【考案の効果】
【００１０】
請求項１に記載の写真立てによれば、凹嵌部を備える本体フレームと、写真画像等の画像を備えると共に前記凹嵌部に着脱自在に嵌合して画像を表示するサブフレームとを備え、前記凹嵌部の底面に、サブフレームに備える画像と異なる画像を設けてあることから、簡易な構成でサブフレームに備える画像と、本体フレームに備える画像との複数種類の画像を切り替えて表示することができる。よって新たな趣きを演出可能な写真立てとすることができる。
【００１１】
また請求項２に記載の写真立てによれば、サブフレームは、画像の周縁を囲む枠体を備えると共に、本体フレームの凹嵌部にサブフレームを嵌合させた際に、前記枠体の表面と、前記本体フレームの表面との間に凸状若しくは凹状の段差を設ける構成としてあることから、立体感を演出することができ、新たな質感を演出可能な写真立てとすることができる。
【００１２】
また請求項３に記載の写真立てによれば、枠体は、本体フレームに備える模様と連続する連続模様を備えることから、本体フレームとサブフレームとで一体感のある模様を表示することができる。よって美観に優れた写真フレームとすることができる。
【００１３】
また請求項４に記載の写真立てによれば、本体フレームに備える画像の表面に、アクリル板を被覆させてあることから、サブフレームを繰り返し着脱させる場合であっても、本体フレームの画像が損傷することを効果的に防止することができる。
【００１４】
また請求項５に記載のアルバムによれば、請求項１〜請求項４の何れか１項に記載の写真立てをアルバムの表紙として用いてなることから、新たな趣きと質感とを効果的に演出可能なアルバムとすることができる。
【図面の簡単な説明】
【００１５】
【図１】本考案の実施形態に係る写真立てを示す図で、（ａ）は本体フレームにサブフレームを取り付けた状態を示す斜視図、（ｂ）は本体フレームとサブフレームとを分離させた状態を示す斜視図である。
【図２】本考案の実施形態に係る写真立ての断面を示す図で、（ａ）は図１（ｂ）のＡ−Ａ線方向における断面図、（ｂ）は図１（ｂ）のＢ−Ｂ線方向における断面図である。
【図３】本考案の実施形態に係る写真立てを示す平面図である。
【図４】本考案の実施形態に係る写真立てにおける本体フレームの製造工程を示す図である。
【図５】本考案の実施形態に係る写真立てにおけるサブフレームの製造工程を示す図である。
【図６】本考案の実施形態に係る写真立てをアルバムの表紙に用いてなるアルバムを示す斜視図である。
【考案を実施するための形態】
【００１６】
以下の図面を参照して、本考案の実施形態に係る写真立てを説明し、本考案の理解に供する。しかし、以下の説明は本考案の実用新案登録請求の範囲に記載の考案を限定するものではない。
【００１７】
まず図１〜図３を参照して、本考案の実施形態に係る写真立て１を説明する。本考案の実施形態に係る写真立て１は、簡易な構成で複数種類の写真を切り替えて表示することができる写真立てである。
この写真立て１は、本体フレーム１０と、サブフレーム２０とから構成される。
【００１８】
前記本体フレーム１０は、写真立て１の骨格を構成するものである。
この本体フレーム１０は、図１、図２に示すように、台紙１１と、枠体１２と、印画紙１３と、アクリル板１４とで構成される。
【００１９】
前記台紙１１は、本体フレーム１０の土台を構成するものである。
本実施形態においては図１に簡略化して示すように、台紙１１を矩形状とする構成としてある。また厚紙を用いて台紙１１を形成する構成としてある。
また図示していないが、本実施形態においては、台紙１１の裏面の上部中央に壁等のフックに本体フレーム１０を引っ掛けるための凹部を備える構成としてある。
なお、台紙１１の形状、厚み、材質は、本実施形態の構成に限るものではなく、適宜変更可能である。
【００２０】
前記枠体１２は、本体フレーム１０の表面を構成すると共に、写真等の画像Ｇ１（Ｇ）を表示可能とするためのものである。本実施形態においては、図１に示すように、枠体１２として、台紙１１と同一形状、同一大きさの板状部材を用いる構成としてある。更に具体的には、本実施形態においては枠体１２として、表面に木目模様の模様Ｍを備える板状部材を用いる構成としてある。なお板状部材としては、天然木の板材や厚紙等、如何なるものを用いてもよい。また模様Ｍも木目模様に限るものではなく、如何なる模様としてもよい。
また図１、図２（ａ）に示すように、枠体１２の中央に、略矩形状の貫通孔１２ａを設ける構成としてある。貫通孔１２ａは、例えば板状部材を貫通孔１２ａの形状、大きさで切り抜くことで形成することができる。
なお枠体１２の厚みは、本実施形態の構成に限るものではなく、適宜変更可能である。
この枠体１２は、図２（ａ）に示すように、接着剤Ｓを介して台紙１１に貼り付けられている。
【００２１】
前記印画紙１３は、写真等の画像Ｇを印刷して表示するためのものである。
本実施形態においては、図２に示すように、貫通孔１２ａと同一形状、同一大きさの印画紙１３を用いると共に、印画紙１３に写真画像で構成される画像Ｇ１を備える構成としてある。
なお印画紙１３としては、印画紙として通常用いられるものであれば、如何なるものを用いてもよい。
この印画紙１３は、図２（ａ）に示すように、接着剤Ｓを介して貫通孔１２ａ内の台紙１１に貼り付けられている。
【００２２】
前記アクリル板１４は、印画紙１３の表面に被覆されて、印画紙１３の表面を保護する、いわゆる保護材としての働きを主として担うものである。
本実施形態においては、図２に示すように、印画紙１３と同一形状、同一大きさの透明のアクリル板を用いる構成としてある。
なおアクリル板１４の厚みは、本実施形態のものに限るものではなく、適宜変更可能である。
このアクリル板１４は、図２（ａ）に示すように、接着剤Ｓを介して印画紙１３の表面に貼り付けられている。
また印画紙１３の表面を保護するための、いわゆる保護材としては、アクリル板に限るものではなく、他の部材を用いる構成としてもよい。但し、画像Ｇ１を表示可能とする透明若しくは半透明な材質で構成されるものであることが必要である。
【００２３】
そして既述したアクリル板１４と貫通孔１２ａとで、サブフレーム２０を着脱自在に嵌合可能な凹嵌部１５が形成されている。
更に本実施形態においては、既述した構成により、凹嵌部１５の底面Ｃに、後述するサブフレーム２０に備える画像Ｇ２とは異なる画像Ｇ１を備える構成を実現してある。
【００２４】
前記サブフレーム２０は、主として本体フレーム１０の凹嵌部１５に着脱自在に嵌合して画像を表示するためのものである。
このサブフレーム２０は、台紙２１と、印画紙２２と、枠体２３とで構成される。
【００２５】
前記台紙２１は、サブフレーム２０の土台を構成するものである。
本実施形態においては、図１に簡略化して示すように、既述した凹嵌部１５（貫通孔１２ａ）と同一形状、同一大きさの厚紙を用いて台紙２１を形成する構成としてある。
また図示していないが、台紙２１の裏面の上部中央に壁等のフックにサブフレーム２０を引っ掛けるための凹部を備える構成としてある。
なお、台紙２１の形状、厚み、材質は、本実施形態のものに限るものではなく、適宜変更可能である。但し、台紙２１の外形は凹嵌部１５（貫通孔１２ａ）と同一形状とすることが必要である。
【００２６】
前記印画紙２２は、写真等の画像Ｇを印刷して表示するためのものである。
本実施形態においては、図１、図２に示すように、台紙２１と同一形状、同一大きさの印画紙２２を用いると共に、写真画像からなる画像Ｇ２を備える構成としてある。
なお印画紙２２としては、印画紙として通常用いられるものであれば、如何なるものを用いてもよい。
また印画紙２２の表面に、印画紙２２の表面を保護すると共に光沢感を与えることができる被覆層（例えばポリエチレンフィルム等の表面保護フィルム）を設ける構成としてもよい。
この印画紙２２は、図２（ｂ）に示すように、接着剤Ｓを介して台紙２１に貼り付けられている。
【００２７】
前記枠体２３は、サブフレーム２０の表面を構成すると共に、写真等の画像Ｇ２（Ｇ）を表示可能とするためのものである。本実施形態においては、図１（ｂ）に示すように、枠体２３として、台紙２１と同一形状、同一大きさの木製の板状部材を用いる構成としてある。更に具体的には、貫通孔１２ａを形成するために本体フレームの板状部材から切り抜いた部分を用いて、枠体２３を形成する構成としてある。本実施形態においては、このような構成により、枠体２３に、本体フレーム１０の表面に備える模様（木目模様）Ｍと連続する連続模様を設ける構成としてある。
また図１、図２（ｂ）に示すように、枠体２３の中央に、略矩形状の貫通孔２３ａを設ける構成としてある。なお貫通孔２３ａは、例えば板状部材を貫通孔２３ａの形状、大きさで切り抜くことで形成することができる。
この枠体２３は、図２（ｂ）に示すように、接着剤Ｓを介して印画紙２２に貼り付けられている。
【００２８】
更に本実施形態においては、図３に示すように、枠体２３の表面（上面）２３Ｓと、本体フレーム１０の表面（上面）１０Ｓとの間に、凸状の段差を設ける構成としてある。つまり凹嵌部１５にサブフレーム２０を嵌合させた際、枠体２３が本体フレーム１０から出っ張った状態となるような構成としてある。このような構成は、印画紙１３、アクリル板１４、台紙２１、印画紙２２、枠体２３、接着剤Ｓの各厚みを調整することで実現することができる。この際、美感上の観点から、台紙２１と印画紙２２とが、凹嵌部１５から露出しない厚みに構成することが望ましい。
なお枠体２３の厚みは、本実施形態のものに限るものではなく、適宜変更可能である。但し、製造工程の作業効率とコストを勘案すれば、貫通孔１２ａを形成するために本体フレームの板状部材から切り抜いた部分を用いて枠体２３を形成することが望ましい。
【００２９】
次に図４、図５を参照して、本考案の実施形態に係る写真立て１の製造工程を説明する。
【００３０】
まず図４（ａ）を参照して、矩形状の厚紙からなる台紙１１を用意する。そして台紙１１の表面に、接着剤Ｓ（図示しない）を介して貫通孔１２ａを形成した枠体１２を貼り付ける。なお既述したように、貫通孔１２ａは、例えば矩形状の板状部材の中央を略矩形状に切り抜くことで形成することができる。
そして台紙１１に貼り付けられた枠体１２の貫通孔１２ａ内に、接着剤Ｓ（図示しない）を介して印画紙１３を貼り付ける。
その後、接着剤Ｓ（図示しない）を介して、印画紙１３の表面にアクリル板１４を貼り付ける。
以上の工程により、図４（ｂ）に示す凹嵌部１５を備える本体フレーム１０が形成される。
【００３１】
次に図５（ａ）を参照して、凹嵌部１５と同一形状である略矩形状の台紙２１を用意する。そして台紙２１の表面に、接着剤Ｓ（図示しない）を介して台紙２１と同一形状、同一大きさの印画紙２２を貼り付ける。
そして台紙２１に貼り付けられた印画紙２２の周縁に、接着剤Ｓ（図示しない）を介して枠体２３を貼り付ける。
以上の工程により、図５（ｂ）に示すサブフレーム２０が形成される。
【００３２】
このように製造されるサブフレーム２０を本体フレーム１０の凹嵌部１５に嵌合させることで、図１（ａ）に示す本考案の実施形態に係る写真立て１が形成される。
また図示しない本体フレーム１０の台紙１１の裏面に設けた凹部を利用することで、壁等に写真立て１を取り付けて保持することができる。
【００３３】
このような構成からなる写真立て１は、以下の効果を奏する。
【００３４】
凹嵌部１５に着脱自在に嵌合して画像Ｇ２を表示するサブフレーム２０を備えると共に、凹嵌部１５の底面Ｃに、サブフレーム２０に備える画像Ｇ２と異なる画像Ｇ１を設けてある構成とすることで、簡易な構成でサブフレーム２０に備える画像Ｇ２と、本体フレーム１０に備える画像Ｇ１との複数種類の画像を切り替えて表示することができる。よって新たな趣きを演出可能な写真立てとすることができる。
【００３５】
またサブフレーム２０の枠体２３の表面２３Ｓと、本体フレーム１０の表面１０Ｓとの間に凸状の段差を設ける構成とすることで、立体感や奥行感を効果的に演出することができ、新たな質感を演出できる写真立て１とすることができる。
【００３６】
また枠体２３と表面フレーム１０とに、それぞれ備える模様Ｍが連続模様となる構成とすることで、本体フレーム１０とサブフレーム２０とで一体感のある模様Ｍを表示することができ、写真立て１があたかも一部材で形成されているかのような外観を呈することができる。
【００３７】
また本体フレーム１０の画像Ｇ１の表面にアクリル板１４を被覆させる構成とすることで、サブフレーム２０を繰り返し着脱させる場合であっても、本体フレーム１０の画像Ｇ１が損傷したり、汚れたりすることを効果的に防止することができる。また透明感、高級感のある写真立て１とすることができる。
【００３８】
加えて、本体フレーム１０にサブフレーム２０を着脱自在に嵌合させる構成とすると共に、本体フレーム１０とサブフレーム２０とにそれぞれ画像Ｇを備える構成とすることで、本体フレーム１０とサブフレーム２０とを分離させて、それぞれを独立した写真立てとして利用することもできる。従って、バリエーションのある表示形態を実現可能な写真立てとすることができる。
【００３９】
なお本実施形態においては、サブフレーム２０の枠体２３の表面２３Ｓと、本体フレーム１０の表面１０Ｓとの間に凸状の段差を設ける構成としたが、必ずしもこのような構成に限るものではなく、凹状の段差を設ける構成としてもよい。
【００４０】
また本実施形態においては、凹嵌部１５を一つだけ設ける構成としたが、凹嵌部１５を複数設ける構成としてもよい。また本体フレーム１０における凹嵌部１５の形成位置も本実施形態のものに限るものではなく、適宜変更可能である。
【００４１】
また本実施形態においては、画像Ｇとして、写真画像を用いる構成としたが、必ずしもこのような構成に限るものではなく、イラスト画像等、他の種類の画像を用いる構成としてもよい。
【００４２】
また本体フレーム１０とサブフレーム２０とのそれぞれに磁性部材を内蔵させて、磁力で吸着させる構成としてもよい。このような構成とすることで、本体フレーム１０に対するサブフレーム２０の嵌合状態を一段と強固に保持することができる。
【００４３】
また本実施形態においては、本体フレーム１０の台紙１１の裏面に設けた凹部を利用することで、壁等に写真立て１を取り付けて保持する構成としたが、本考案の写真立て１を特定の場所に保持する構成は、必ずしもこのような構成限るものではなく、適宜変更可能である。例えば写真立て１の底部が嵌合するスタンドを用いるような構成とすることができる。このような構成とすることで、机上等に容易に写真立てを載置させることができる。
【００４４】
更に本考案の実施形態に係る写真立て１は、図６に示すように、アルバム２の表表紙２ａとして用いることも可能である。このような構成とすることで、新たな趣きと質感とを効果的に演出可能なアルバム２とすることができる。よって、オリジナル性があると共に、面白みのあるアルバム２とすることができる。
なお、写真立て１はアルバム２の裏表紙２ｂに用いることもできる。
【産業上の利用可能性】
【００４５】
本考案の写真立て１及びアルバム２は、写真立てやアルバムの分野において有用であり、産業上の利用可能性が大きい。
【符号の説明】
【００４６】
１        写真立て
２        アルバム
２ａ      表表紙
２ｂ      裏表紙
１０      本体フレーム
１０ｓ    表面
１１      台紙
１２      枠体
１２ａ    貫通孔
１３      印画紙
１４      アクリル板
１５      凹嵌部
２０      サブフレーム
２１      台紙
２２      印画紙
２３      枠体
２３ａ    貫通孔
２３ｓ    表面
Ｃ        底面
Ｇ        画像
Ｇ１      画像
Ｇ２      画像
Ｍ        模様
Ｓ        接着剤
【図１】
0003201983.tif 000003
【図２】
0003201983.tif 000004
【図３】
0003201983.tif 000005
【図４】
0003201983.tif 000006
【図５】
0003201983.tif 000007
【図６】
0003201983.tif 000008